(57)【特許請求の範囲】
【請求項１】
互いに整合する外周を有し対向配置される一対の皿状部材(1) と、
その一対の皿状部材(1) をその対向面が逆向きの反転可能となるように、両皿状部材(1) の外周の一部のみの間を連結した連結部(2) と、
その連結部(2) を除き、対向する一対の皿状部材(1) の外周の間を開閉自在に閉塞するファスナ(3) と、
一方の前記皿状部材(1) の一方の平面を底部として、折り畳み自在な筒状に突設されたホルダ本体(4) と、を具備し、
そのホルダ本体(4) を折り畳んで一対の皿状部材(1) 間に収納した状態で、前記ファスナ(3) によりそれらの外周を閉塞して、全体を偏平に形成できると共に、
前記ホルダ本体(4) を引き延ばして、他方の皿状部材(1) を 360度反転し、両皿状部材(1) の外周間を前記ファスナ(3) により閉塞して両皿状部材(1) 間を偏平に形成できるように構成したペットボトルホルダ。
【請求項２】
請求項１において、
一対の前記皿状部材(1) は、所定の剛性を有する一対の平板(1a)と、その平板(1a)の周縁に環状に立ち上げられた可撓性の一対の可撓性環状体(1b)とを有し、
その一対の可撓性環状体(1b)の一部どうしが連結されて前記連結部(2) を構成し、
その連結部(2) を除き、一対の可撓性環状体(1b)の縁どうしがファスナ(3) により開閉自在に閉塞されたペットボトルホルダ。
【請求項３】
請求項１において、
一対の前記皿状部材(1) は、所定の剛性を有し、周縁に立ち上げ縁部(5a)が一体に形成された一対の縁付き平板(5) と、その縁付き平板(5) の周縁に環状に立ち上げられた可撓性の一対の可撓性環状体(1b)とを有し、
その一対の可撓性環状体(1b)の一部どうしが連結されて前記連結部(2) を構成し、
その連結部(2) を除き、一対の可撓性環状体(1b)の縁どうしがファスナ(3) により開閉自在に閉塞されたペットボトルホルダ。
【請求項４】
請求項３において、
前記ホルダ本体(4) を引き延ばして使用する際、他方の縁付き平板(5) を 360度反転すると、その立ち上げ縁部(5a)の先端縁が下面側に位置するように構成されたペットボトルホルダ。
【発明の詳細な説明】
【技術分野】
【０００１】
本発明は、コンパクトに体裁良く折り畳むことができるペットボトルホルダに関する。
【背景技術】
【０００２】
織布または不織布を用い有底の筒状に形成し、内部に断熱材等を被着させたペットボトルホルダが知られている。
このペットボトルホルダは、可撓性材料で作られていることが多く、その場合折り畳みが可能である。
【発明の開示】
【発明が解決しようとする課題】
【０００３】
従来の可撓性のペットボトルホルダは、折り畳み状態を保持することが容易ではなく、それを体裁良くコンパクトにまとめることが面倒であった。
また、ペットボトルを内部に収納したとき安定性が悪く、平面上に載置すると倒れ易い欠点があった。
そこで本発明は、係る問題点を解決することを課題とする。
【課題を解決するための手段】
【０００４】
請求項１に記載の本発明は、互いに整合する外周を有し対向配置される一対の皿状部材(1) と、
その一対の皿状部材(1) をその対向面が逆向きの反転可能となるように、両皿状部材(1) の外周の一部のみの間を連結した連結部(2) と、
その連結部(2) を除き、対向する一対の皿状部材(1) の外周の間を開閉自在に閉塞するファスナ(3) と、
一方の前記皿状部材(1) の一方の平面を底部として、折り畳み自在な筒状に突設されたホルダ本体(4) と、を具備し、
そのホルダ本体(4) を折り畳んで一対の皿状部材(1) 間に収納した状態で、前記ファスナ(3) によりそれらの外周を閉塞して、全体を偏平に形成できると共に、
前記ホルダ本体(4) を引き延ばして、他方の皿状部材(1) を 360度反転し、両皿状部材(1) の外周間を前記ファスナ(3) により閉塞して両皿状部材(1) 間を偏平に形成できるように構成したペットボトルホルダである。
【０００５】
請求項２に記載の本発明は、請求項１において、
一対の前記皿状部材(1) は、所定の剛性を有する一対の平板(1a)と、その平板(1a)の周縁に環状に立ち上げられた可撓性の一対の可撓性環状体(1b)とを有し、
その一対の可撓性環状体(1b)の一部どうしが連結されて前記連結部(2) を構成し、
その連結部(2) を除き、一対の可撓性環状体(1b)の縁どうしがファスナ(3) により開閉自在に閉塞されたペットボトルホルダである。
【０００６】
請求項３に記載の本発明は、請求項１において、
一対の前記皿状部材(1) は、所定の剛性を有し、周縁に立ち上げ縁部(5a)が一体に形成された一対の縁付き平板(5) と、その縁付き平板(5) の周縁に環状に立ち上げられた可撓性の一対の可撓性環状体(1b)とを有し、
その一対の可撓性環状体(1b)の一部どうしが連結されて前記連結部(2) を構成し、
その連結部(2) を除き、一対の可撓性環状体(1b)の縁どうしがファスナ(3) により開閉自在に閉塞されたペットボトルホルダである。
【０００７】
請求項４に記載の本発明は、請求項３において、
前記ホルダ本体(4) を引き延ばして使用する際、他方の縁付き平板(5) を 360度反転すると、その立ち上げ縁部(5a)の先端縁が下面側に位置するように構成されたペットボトルホルダである。
【発明の効果】
【０００８】
請求項１に記載の本発明は、一方の皿状部材１を底部として筒状のボトル本体４が折り畳み自在に形成され、一対の皿状部材１間にそのボトル本体４が収納されて、ファスナ３によりそれらの外周を閉塞して偏平状態に形成できるから、コンパクトで体裁よく持ち運びが容易である。
また、ボトル本体４を引き延ばして、他方の皿状部材１を連結部２を介して 360度反転することができ、その状態で両皿状部材１の外周間をファスナ３により閉塞して皿状部材１間を偏平に形成するようにできるから、ペットボトルを収納する際には、底部を二重底とし、安定が良く且つ使用時の使い勝手の良いペットボトルホルダとなり得る。
【０００９】
請求項２に記載の本発明は、皿状部材１が所定の剛性を有する一対の平板１ａと、その周縁に立ち上げられた可撓性で環状の一対の可撓性環状体１ｂとを有し、その可撓性環状体１ｂの一部どうしが連結されて連結部２を構成し、可撓性環状体１ｂの縁どうしがファスナ３により開閉自在に閉塞されたものであるから、ボトル本体４を一対の平板１ａ間に収納してファスナ３によりその外周を閉塞することが容易である。それと共に、ボトル本体４を引き延ばして他方の平板１ａを反転させ、その外周をファスナ３で閉塞したとき、剛性を有する平板１ａの存在により、安定して全体を平面上に立設させることができる。  また、ファスナ３の開閉動作が容易となり使い勝手がよい。
【００１０】
請求項３に記載の本発明は、皿状部材１を構成する縁付き平板５がその周縁に立ち上げ縁部５ａを一体に有し、その縁付き平板５の周縁に可撓性環状体１ｂが設けられ、一対の可撓性環状体１ｂどうしがファスナ３により開閉自在に閉塞されるものであるから、特に、ペットボトル使用時において二重底に形成される一対の縁付き平板５の剛性が大きくなり、使用時の安定性をさらに増すことができる。
また、ボトル本体４の収納時においてもコンパクトで体裁の良い収納状態を維持し得る。
【００１１】
請求項４に記載の本発明は、ボトル本体４を引き延ばして、縁付き平板５を 360度反転したとき、その立ち上げ縁部５ａの先端縁が下面側に位置するようにしたから、ペットボトル使用時において立ち上げ縁部５ａのみを平面上に載置することができ、その安定性が増大する。即ち、載置平面に凹凸が存在しても、接地部分は立ち上げ縁部５ａの先端のみであるから、安定的にホルダを立設することが可能となる。
【発明を実施するための最良の形態】
【００１２】
次に、図面に基づいて本発明の実施の形態につき説明する。
図１〜図６は本発明の第１の実施の形態を示すペットボトルホルダであり、図１はそのボトル本体４を折り畳み状態で、その一方の皿状部材１を開放した状態を示す斜視図であり、図２は同状態からボトル本体４を引き延ばした状態を示し、図３はさらに他方の皿状部材１を下側に反転した状態を示し、図４はその後にファスナ３により一対の皿状部材１間を閉塞した状態を示す。また、図５は図４におけるＶ−Ｖ矢視断面説明図であり、図６は一対の皿状部材１内にボトル本体４を収納した状態を示す斜視図である。
このペットボトルホルダは、図１に示す如く一対の皿状部材１内に折り畳み自在な布製のボトル本体４が収納され、ファスナ３によって図６の如くコンパクトに保持されるものである。
【００１３】
一対の皿状部材１は、図５の説明図に示す如く、革やボール紙、縫製可能なプラスチック板等によるある程度の（所定の）剛性を有する平板１ａの外周に軟質樹脂フィルムや不織布が被蔽され、両者間が縫着される。なお、図５において上側に位置する平板１ａの上面側には熱線を反射するアルミの皮膜シートが付着されている。そして一対の皿状部材１は図４の如く、その端部で連結部２によって連結されている。
上側に位置する平板１ａは、ボトル本体４の底面となる。即ち、筒状に形成された下端縁が環状に皿状部材１の周縁に縫着等により取付けられる。このボトル本体４の内面には、断熱布４ａとして熱線を反射するアルミ皮膜が取付けられ、外面側には外装布４ｂが配置されている。また、一対の皿状部材１，１の周縁部は環状に立ち上げられた可撓性環状体１ｂが設けられ、その可撓性環状体１ｂの端縁にファスナ３が取付けられる。そしてそのファスナ３にスライダ13およびつまみ８，８ａ、鎖11が係止され、つまみ８，８ａを介しスライダ13を引っ張ることにより図４の如く一対の皿状部材１間を閉塞する。なお、図示の例では一対のつまみ８，８ａがスライダ13の内面側と外面側とにそれぞれ係止されている。
【００１４】
ボトル本体４の上端には、開口９が設けられる。開口９の周縁は、折り返されてそこに紐挿通部６を形成し、その紐挿通部６に紐10が環状に挿通され、その紐10の端部が紐挿通部６から外部に導かれ、その先端にストッパ７が取付けられている。
このようにしてなる本発明のペットボトルホルダは、図１，図６の如く内部にボトル本体４を折り畳んで、ファスナ３を閉塞することより、ボトル本体４を体裁よく内部にコンパクトに収納する。
【００１５】
次に、このペットボトルホルダにペットボトル12を収納するには、図６の状態からつまみ８を介してスライダ13を移動することにより、図１の如く一対の皿状部材１，１間を開放する。次いで、図２の如く内部のボトル本体４を引き上げる。次いで、図２の状態から皿状部材１を連結部２の周りにさらに回転させ図３の状態を経て、つまみ８ａを介してスライダ13を移動することにより図４の状態にする。すると、ボトル本体４の底部は図５の如く二重底になり、剛性ある平板１ａが底部に二枚配置され、安定してボトル本体４を立設することができる。そしてそのボトル本体４の開口９からペットボトル12を挿入し、次いで、紐10を引っ張ると共にストッパ７を移動することにより、図４の状態にする。これによって、内部に収納されたペットボトル12が保冷または保温される。
【００１６】
次に、図７は本発明のペットボトルホルダの底部の他の例である。
この例は、一対の皿状部材１がプラスチック製等の所定の剛性を有する縁付き平板５からなる。即ち、周縁が立ち上げられた縁付き平板５の外周に夫々可撓性環状体１ｂが縫着、接着等の手段により取付けられ、その縁にファスナ３が設けられる。また、上側に位置する皿状部材１にボトル本体４の下端が固定される。図７において、下側の縁付き平板５は立ち上げ縁部５ａが下方に突出し、それが机等の平面に着座できるものである。このように下側の皿状部材１が凹陥することにより、平面に本ペットボトルホルダを安定して載置することができる。
なお、ボトル本体４を上側の皿状部材１に収納したときには、下側の皿状部材１は図７の状態から 360度反転し、夫々の立ち上げ縁部５ａの縁部どうしが対向する。そしてその内部にボトル本体４が収納されるものである。
【００１７】
次に、図８は本発明のペットボトルホルダの底部の他の実施例であり、この例は、縁付き平板５の立ち上げ縁部５ａにボトル本体４の下端および可撓性環状体１ｂの縁部を取付け、折返し部５ｂによってそれらを止着したものである。そして、夫々の可撓性環状体１ｂの縁部にファスナ３を取付ける。
このようにすることにより、組立が容易で量産性の高いペットボトルホルダとなる。
【図面の簡単な説明】
【００１８】
【図１】本発明のペットボトルホルダであって、ボトル本体４を収納状態で、一対の皿状部材１を開放した状態を示す斜視図。
【図２】同ペットボトルホルダのボトル本体４を一方の皿状部材１上に立ち上げた状態を示す斜視図。
【図３】同ペットボトルホルダの他方の皿状部材１を図２の状態から反転させた状態を示す斜視図。
【図４】図３の状態からファスナ３により一対の皿状部材１間を閉塞した状態を示す斜視図。
【００１９】
【図５】図４におけるＶ−Ｖ矢視断面説明図。
【図６】本発明のペットボトルホルダの一対の皿状部材１内にボトル本体４を収納した状態を示す斜視図。
【図７】本発明のペットボトルホルダの他の実施の形態を示す要部断面説明図。
【図８】本発明のペットボトルホルダのさらに他の実施の形態を示す要部断面説明図。
【符号の説明】
【００２０】
１  皿状部材
１ａ  平板
１ｂ  可撓性環状体
２  連結部
３  ファスナ
４  ボトル本体
４ａ  断熱布
４ｂ  外装布
５  縁付き平板
５ａ  立ち上げ縁部
５ｂ  折返し部
【００２１】
６  紐挿通部
７  ストッパ
８  つまみ
８ａ  つまみ
９  開口
10  紐
11  鎖
12  ペットボトル
13  スライダ
【図１】
0003643987.tif 000002
【図２】
0003643987.tif 000003
【図３】
0003643987.tif 000004
【図４】
0003643987.tif 000005
【図５】
0003643987.tif 000006
【図６】
0003643987.tif 000007
【図７】
0003643987.tif 000008
【図８】
0003643987.tif 000009